(57)【要約】【課題】適切な音量で使用者に音を提供し、不要な電流消費を抑制することができる、端末装置を提供する。【解決手段】端末装置は、音を出力する複数のスピーカ１６ａ〜１６ｃと、スピーカ毎に設けられ、該スピーカから該スピーカと対向するように配置された配置物までの距離を測定し、該測定値を出力する複数の近接センサ１７ａ〜１７ｃと、近接センサ１７ａ〜１７ｃのそれぞれから測定値を取得し、該取得した測定値に基づいてスピーカ１６ａ〜１６ｃの音量を調整するＣＰＵ１０と、を有する。【選択図】図１
2013239965.tif 000002
【特許請求の範囲】
【請求項１】
音を出力する複数のスピーカと、
スピーカ毎に設けられ、それぞれが該スピーカから該スピーカと対向するように配置された配置物までの距離を測定し、該測定値を出力する複数の距離測定部と、
前記複数の距離測定部のそれぞれから前記測定値を取得し、該取得した測定値に基づいて前記複数のスピーカの音量を調整する制御部と、を有する、端末装置。
【請求項２】
前記制御部は、前記複数のスピーカのそれぞれについて、該スピーカと該スピーカと対向する前記配置物との間隔が小さくなるに従って音量を増大または減少させる、請求項１に記載の端末装置。
【請求項３】
前記制御部は、前記複数のスピーカのうちの特定のスピーカに対して設けられた距離測定部から前記測定値を取得し、該測定値に基づいて、前記特定のスピーカが前記配置物と密着しているか否かを判定し、密着している場合は、前記特定のスピーカを所定の音量に設定する、請求項１または２に記載の端末装置。
【請求項４】
前記制御部は、前記特定のスピーカを所定の音量に設定した場合に、前記複数のスピーカのうちの前記特定のスピーカ以外のスピーカを停止させる、請求項３に記載の端末装置。
【請求項５】
前記制御部は、前記特定のスピーカ以外のスピーカに対して設けられた距離測定部から前記測定値を取得し、該測定値に基づいて、前記特定のスピーカ以外のスピーカが前記配置物と密着しているか否かを判定し、密着している場合は、前記特定のスピーカ以外のスピーカを停止させる、請求項３または４に記載の端末装置。
【請求項６】
情報を表示する表示部を、さらに有し、
前記制御部は、前記特定のスピーカ以外のスピーカが前記配置物と密着していると判定した場合に、所定のメッセージを前記表示部に表示させる、請求項５に記載の端末装置。
【請求項７】
前記複数のスピーカが設けられた筐体の特定の位置に設けられ、該位置から前記特定のスピーカと対向する前記配置物までの距離を測定し、該測定値を出力する別の距離測定部を、さらに有し、
前記制御部は、前記複数の距離測定部のうちの前記特定のスピーカに対して設けられた距離測定部から取得した測定値と前記別の距離測定部から取得した測定値とに基づいて、前記特定のスピーカが前記配置物と密着しているか否かを判定する、請求項３から６のいずれか１項に記載の端末装置。
【請求項８】
前記制御部は、前記複数の距離測定部のそれぞれから取得した前記測定値に基づいて、前記複数のスピーカの音量レベルのバランスが予め定められたバランスになるように前記複数のスピーカの音量を調整する、請求項１に記載の端末装置。
【請求項９】
音を出力する複数のスピーカのそれぞれについて、該スピーカから該スピーカと対向するように配置された配置物までの距離を測定し、
前記距離の測定値に基づいて、前記複数のスピーカの音量を調整する、音出力制御方法。
【請求項１０】
音を出力する複数のスピーカのそれぞれに対応して設けられ、それぞれが、対応するスピーカから該スピーカと対向するように配置された配置物までの距離を測定する複数の距離測定部から、前記距離の測定値を取得する手順と、
前記複数の距離測定部のそれぞれから取得した前記測定値に基づいて、前記複数のスピーカの音量を調整する手順とを、コンピュータに実行させる、プログラム。
【発明の詳細な説明】
【技術分野】
【０００１】
本発明は、スピーカを備えた端末装置に関する。
【背景技術】
【０００２】
特許文献１には、音声を出力するイヤーレシーバおよびスピーカフォンと、イヤーレシーバと通話者の距離を検出する距離検出部と、距離検出部により検出した距離に基づいて、イヤーレシーバおよびスピーカフォンの音量を調整する制御部と、を有する携帯電話機が開示されている。
【０００３】
距離検出部は、距離センサを備え、距離センサの出力に基づく距離情報を制御部に供給する。距離センサは、複数の操作キーが配置された操作面の中心部に設けられている。
【０００４】
制御部は、距離検出部からの距離情報に基づいて、通話者が携帯電話機の近くにいるか否かを判定する。通話者が携帯電話機の近くにいる場合は、制御部は、イヤーレシーバおよびスピーカフォンの音量を初期値に設定する。通話者が携帯電話機の近くにいない場合は、制御部は、イヤーレシーバの音量を増大する、または、スピーカフォンから音声を出力させる。
【０００５】
上記の携帯電話機によれば、通話者と携帯電話機の距離に応じて、イヤーレシーバの音量の調整やスピーカフォンへの出力の切替えが自動的に行われる。通話者による音量調整や切替えの操作は不要であるので、使い勝手がよい。
【先行技術文献】
【特許文献】
【０００６】
【特許文献１】特開２００４−２２１８０６号公報（段落００１０−００１２）
【発明の概要】
【発明が解決しようとする課題】
【０００７】
複数のスピーカを備えた端末装置においては、使用状況によっては、指や周囲の物体などの配置物が一部のスピーカを塞ぐ場合がある。例えば、使用者が端末装置を手で持った場合に、指が一部のスピーカを塞ぐ。また、端末装置を設置した場合に、周囲の物体が一部のスピーカを塞ぐ。このように指や周囲の物体などの配置物がスピーカを塞いだ状態において、スピーカから音を出力すると、配置物がスピーカからの音を遮るため、使用者が音を聞き取り難い。また、指等の配置物がスピーカを完全に塞いでおり、スピーカからの音を聞き取ることができない状態において、スピーカから音を出力することは、不要な電流消費を招く。
【０００８】
特許文献１に記載の携帯電話機においても、例えば、指等の配置物がスピーカフォンを塞いでいる状態で、スピーカフォンから音を出力するため、上記と同様の問題を生じる。
【０００９】
本発明の目的は、上記問題を解決し、適切な音量で使用者に音を提供し、不要な電流消費を抑制することができる、端末装置、音出力制御方法およびプログラムを提供することにある。
【課題を解決するための手段】
【００１０】
上記目的を達成するため、本発明の一態様によれば、
音を出力する複数のスピーカと、
スピーカ毎に設けられ、それぞれが該スピーカから該スピーカと対向するように配置された配置物までの距離を測定し、該測定値を出力する複数の距離測定部と、
前記複数の距離測定部のそれぞれから前記測定値を取得し、該取得した測定値に基づいて前記複数のスピーカの音量を調整する制御部と、を有する、端末装置が提供される。
【００１１】
本発明の別の態様によれば、
音を出力する複数のスピーカのそれぞれについて、該スピーカから該スピーカと対向するように配置された配置物までの距離を測定し、
前記距離の測定値に基づいて、前記複数のスピーカの音量を調整する、音出力制御方法が提供される。
【００１２】
本発明の他の態様によれば、
音を出力する複数のスピーカのそれぞれに対応して設けられ、それぞれが、対応するスピーカから該スピーカと対向するように配置された配置物までの距離を測定する複数の距離測定部から、前記距離の測定値を取得する手順と、
前記複数の距離測定部のそれぞれから取得した前記測定値に基づいて、前記複数のスピーカの音量を調整する手順とを、コンピュータに実行させる、プログラムが提供される。
【発明の効果】
【００１３】
本発明によれば、不要な電流消費を抑制することができ、また、配置物がスピーカからの音を遮るような状態でも、使用者が音を確実に聞き取ることができる。
【図面の簡単な説明】
【００１４】
【図１】本発明の第１の実施形態である端末装置の構成を示すブロック図である。
【図２】図１に示す端末装置のスピーカおよび近接センサの配置を示す模式図である。
【図３】図１に示す端末装置で行われる音量調整処理の一手順を示すフローチャートである。
【図４】本発明の第２の実施形態である端末装置で行われる音量調整処理の一手順を示すフローチャートである。
【図５】本発明の第４の実施形態である端末装置の構成を示すブロック図である。
【図６】図５に示す端末装置のスピーカおよび近接センサの配置を示す模式図である。
【図７】図５に示す端末装置で行われる音量調整処理の一手順を示すフローチャートである。
【図８】本発明の他の実施形態である端末装置の構成を示すブロック図である。
【発明を実施するための形態】
【００１５】
次に、本発明の実施形態について図面を参照して説明する。
【００１６】
図１は、本発明の第１の実施形態である端末装置の構成を示すブロック図である。
【００１７】
図１を参照すると、端末装置は、ＣＰＵ（Central processing unit）１０、ＲＯＭ（Read Only Memory）１１、ワークメモリ１２、通信部１３、操作部１４、表示部１５、スピーカ１６ａ〜１６ｃおよび近接センサ１７ａ〜１７ｃを有し、これら各部はバス１８に接続されている。
【００１８】
ＲＯＭ１１は、ＣＰＵ１０が実行する各種の制御用プログラムやそれらプログラムを用いた制御に必要な固定的なデータを格納する。ワークメモリ１２は、例えば、ＲＡＭ（Random Access Memory）であって、ＣＰＵ１０がプログラムを実行する上で必要とされるデータを一時的に格納する。近接センサ１７ａ〜１７ｃの検出値や、スピーカ１６ａ〜１６ｃの出力を制御するためのデータも、このワークメモリ１２に格納される。
【００１９】
なお、端末装置のメモリは、上記のＲＯＭ１１やワークメモリ１２に限定されるものではなく、同じメモリがＲＯＭ１１やワークメモリ１２の両方を兼用するような構成であってもよい。例えば、ＲＯＭ１１やワークメモリ１２を１つのフラッシュメモリで構成してもよい。この場合は、フラッシュメモリは、ＲＯＭ１１に対応する領域（またはブロック）と、ワークメモリ１２に対応する領域（またはブロック）とを含む。
【００２０】
通信部１３は、基地局との間で無線通信を行う。通信部１３は、移動通信網や公衆電話網等を介して外部端末装置と相互に通信可能に接続される。これにより、データ通信や音声通話等を行うことができる。
【００２１】
また、通信部１３は、インターネットに代表されるネットワークへの接続も可能であり、このネットワークを介して、サーバ等の外部装置から必要なプログラムやデータをダウンロードすることができる。
【００２２】
さらに、通信部１３は、他の端末装置との間でデータを送受信する装置間通信機能を有していてもよい。装置間通信機能は、例えば、Ｂｌｕｅｔｏｏｔｈ（登録商標）に代表される無線通信手段である。この他、装置間通信手段として赤外線通信を利用した通信手段を用いることも可能である。
【００２３】
操作部１４は、複数の操作ボタンやタッチパネル等の入力手段であって、入力操作に応じた信号をＣＰＵ１０に供給する。
【００２４】
表示部１５は、ＬＣＤ（Liquid Crystal Display）や有機ＥＬ（電子蛍光）などの表示装置である。
【００２５】
スピーカ１６ａ〜１６ｃは、音声等を出力するものであって、図２に示すように、筺体１の異なる面に設けられている。
【００２６】
スピーカ１６ａは、筺体１の画面１５ａが設けられた面に設けられている。使用者が筺体１を手で持って耳に当てたときに（通話時の保持姿勢）、スピーカ１６ａが丁度、使用者の耳に当たる。
【００２７】
スピーカ１６ｂは、画面１５ａが設けられた面と隣接する面（筺体１の側面）に設けられている。スピーカ１６ｃは、画面１５ａが設けられた面とは反対の面（裏面）に設けられている。
【００２８】
近接センサ１７ａ〜１７ｃは、配置物までの距離を測定する距離測定部であって、スピーカ１６ａ〜１６ｃと１対１対応で設けられている。
【００２９】
近接センサ１７ａは、スピーカ１６ａの近傍に設けられており、スピーカ１６ａと対向するように配置された配置物までの距離を一定時間間隔で測定し、その測定値を示す距離情報を出力する。ここで、測定値は、近接センサ１７ａから配置物までの距離であるが、近接センサ１７ａはスピーカ１６ａに近接して配置されているので、測定値をスピーカ１６ａから配置物までの距離と見做すことができる。
【００３０】
近接センサ１７ｂは、スピーカ１６ｂの近傍に設けられており、スピーカ１６ｂと対向するように配置された配置物までの距離を一定時間間隔で測定し、その測定値を示す距離情報を出力する。近接センサ１７ａについての上記の測定値の説明と同様の理由により、近接センサ１７ｂの測定値も、スピーカ１６ｂから配置物までの距離と見做すことができる。
【００３１】
近接センサ１７ｃは、スピーカ１６ｃの近傍に設けられており、スピーカ１６ｃと対向するように配置された配置物までの距離を一定時間間隔で測定し、その測定値を示す距離情報を出力する。近接センサ１７ａについての上記の測定値の説明と同様の理由により、近接センサ１７ｃの測定値も、スピーカ１６ｃから配置物までの距離と見做すことができる。
【００３２】
近接センサ１７ａ〜１７ｃは、配置物までの距離を測定することができるのであれば、どのようなセンサであってもよい。例えば、近接センサ１７ａ〜１７ｃとして、反射型光電センサ、超音波センサ、静電容量センサなどを用いることができる。
【００３３】
反射型光電センサを用いる場合は、不可視光である近赤外光を用いることが望ましい。この場合は、外乱光の影響を低減するために、センサ用の光として所定の変調を施した光を用い、所定の変調の光の成分を検出するような方法を用いてもよい。
【００３４】
超音波センサを用いた場合は、超音波を発し、測定対象からの反射波を検出する。超音波を発した時点から反射波を受信するまでに要した時間に基づいて、測定対象までの距離を算出することができる。
【００３５】
近接センサ１７ａ〜１７ｃの出力信号は、アナログ信号であってもよく、デジタル信号であってもよい。出力信号がアナログ信号である場合は、Ａ／Ｄ変換器を用いて、出力信号をデジタル信号に変換してもよい。
【００３６】
なお、スピーカ１６ａ〜１６ｃや近接センサ１７ａ〜１７ｃの配置は、図２に示した配置に限定されるものではなく、他の配置であってもよい。スピーカ１６ａ〜１６ｃや近接センサ１７ａ〜１７ｃの数も３つに限定されるものではなく、それぞれ２つ以上であればよい。
【００３７】
また、１つの配置物が複数のスピーカうちの２つ以上のスピーカと対向する配置されてもよく、スピーカ毎に異なる配置物が対向するように配置されてもよい。
【００３８】
ＣＰＵ１０は、端末装置全体の動作を制御する制御部であって、近接センサ１７ａ〜１７ｃからの距離情報に基づいてスピーカ１６ａ〜１６ｃの音量を調整する。
【００３９】
図３に、音量調整処理の一手順を示す。以下、図１〜図３を参照して音量調整処理を説明する。なお、音量調整処理は、スピーカ１６ａ〜１６ｃそれぞれに対して行われるが、以下では、説明の簡略化のため、スピーカ１６ａ〜１６ｃを単にスピーカ１６と記載し、近接センサ１７ａ〜１７ｃを単に近接センサ１７と記載する。
【００４０】
ＣＰＵ１０は、近接センサ１７から距離の測定値を取得し（ステップＳ１０）、測定値に基づいてスピーカ１６が配置物と密着しているか否かを判定する（ステップＳ１１）。例えば、ＣＰＵ１０は、測定値が０（または略０）である場合に、配置物がスピーカ１６と密着していると判断する。
【００４１】
ステップＳ１１の判定結果が「Ｙｅｓ」である場合は、続いて、ＣＰＵ１０は、スピーカ１６が特定のスピーカであるか否かを判定する（ステップＳ１２）。
【００４２】
ここで、特定のスピーカとは、使用者が筺体１を手で持って耳に当てたときに（通話時の保持姿勢）、使用者の耳に当たるスピーカのことであり、図２に示した配置では、スピーカ１６ａが特定のスピーカである。ＲＯＭ１１には、スピーカ１６ａ〜１６ｃと近接センサ１７ａ〜１７ｃとの対応関係を示す情報と、スピーカ１６ａが特定のスピーカであることを示す情報が格納されており、ＣＰＵ１０は、これら情報に基づいて、スピーカ１６ａ〜１６ｃを管理している。
【００４３】
ステップＳ１２の判定結果が「Ｙｅｓ」である場合は、続いて、ＣＰＵ１０は、スピーカ１６（すなわち、スピーカ１６ａ）の音量を所定の音量に設定する（ステップＳ１３）。ここで、所定の音量は、スピーカ１６ａに耳を当てて通話する場合に最適な音量であり、この情報も、ＲＯＭ１１に格納されている。
【００４４】
ステップＳ１２の判定結果が「Ｎｏ」である場合は、続いて、ＣＰＵ１０は、スピーカ１６（スピーカ１６ｂ、１６ｃのうちの配置物と密着しているスピーカ）の音量を０に設定する（ステップＳ１４）。
【００４５】
ステップＳ１１の判定結果が「Ｎｏ」である場合は、続いて、ＣＰＵ１０は、前回の測定値と今回の測定値を比較し、距離が変化した否かを判定する（ステップＳ１５）。
【００４６】
ステップＳ１５の判定結果が「Ｎｏ」である場合は、ＣＰＵ１０は、スピーカ１６の音量を前回の音量で維持する（ステップＳ１６）。
【００４７】
ステップＳ１５の判定結果が「Ｙｅｓ」である場合は、続いて、ＣＰＵ１０は、測定値が閾値以下か否かを判定する（ステップＳ１７）。
【００４８】
ステップＳ１７の判定結果が「Ｙｅｓ」である場合は、続いて、ＣＰＵ１０は、スピーカ１６の音量として、測定値と閾値との差に応じた分だけ標準音量（デフォルト）より小さい音量を設定する（ステップＳ１８）。
【００４９】
ステップＳ１７の判定結果が「Ｎｏ」である場合は、続いて、ＣＰＵ１０は、スピーカ１６の音量として、測定値と閾値との差に応じた分だけ標準音量（デフォルト）より大きい音量を設定する（ステップＳ１９）。
【００５０】
なお、標準音量は、スピーカ１６ａ〜１６ｃそれぞれに個別に設定されてもよく、スピーカ１６ａ〜１６ｃに共通に設定されてもよい。標準音量の情報も、ＲＯＭ１１に格納されている。また、測定値と閾値との差と標準音量からの減少量との関係を示す情報（第１テーブル）や、測定値と閾値との差と標準音量からの増大量との関係を示す情報（第２テーブル）も、ＲＯＭ１１に格納されている。標準音量をスピーカ１６ａ〜１６ｃに個別に設定する場合は、第１、第２テーブルは、スピーカ毎に作成される。
【００５１】
第１テーブルは、測定値が閾値と一致したときに標準音量となり、測定値が閾値より小さくなるにつれて音量が小さくなるような特性を有する。第２テーブルは、測定値が閾値と一致したときに標準音量となり、測定値が閾値より大きくなるにつれて音量が大きくなるような特性を有する。これら第１、第２テーブルは１つのテーブルで構成してもよい。
【００５２】
ＣＰＵ１０は、ステップＳ１３、Ｓ１４、Ｓ１８、Ｓ１９のいずれかを実行した場合、ステップＳ１０からの処理を再度実行する。
【００５３】
上述した音量調整処理によれば、以下のような作用効果を奏する。
【００５４】
使用者が手で筺体１を保持した際に、指等がスピーカ１６ｂ、１６ｃの少なくとも１つを塞いだ場合は、ＣＰＵ１０は、指で塞いだスピーカの出力を停止する（音量を０にする。）。これにより、指で塞いだスピーカにおける不要な電流消費を抑制することができる。
【００５５】
また、使用者が手で筺体１を保持し、スピーカ１６ａを耳に当てた場合は、ＣＰＵ１０は、スピーカ１６ａの音量を受話時の音声を聞くのに最適な音量に設定する。これにより、使用者は、適切な音量で通話を行うことができる。
【００５６】
さらに、ＣＰＵ１０は、顔が筺体１に近づくにつれてスピーカ１６ａ〜１６ｃの音量を小さくし、反対に、顔が筺体１から遠ざかるにつれてスピーカ１６ａ〜１６ｃの音量が大きくする。これにより、使用者は、筺体１からの距離に関係なく、最適な音量で音声等を聞くことができる。
【００５７】
上述した本実施形態の端末装置の構成および動作は一例であり、適宜に変更することができる。
【００５８】
例えば、図３に示した音量調整処理において、ステップＳ１３で、ＣＰＵ１０は、特定のスピーカ（すなわち、スピーカ１６ａ）の音量を所定の音量に設定するとともに、他のスピーカの出力を停止させてもよい。
【００５９】
また、ステップＳ１７で、ＣＰＵ１０は、今回の測定値と前回の測定値を比較し、スピーカに対して、配置物が近づいたか、または、遠のいたかを判定し、近づいた場合は、ステップＳ１８で、一定量だけ音量を小さくし、遠のいた場合は、ステップＳ１９で、一定量だけ音量を増大してもよい。この場合、１回目の判定時は、前回の測定値としてデフォルト値（例えば、上述した標準音量）を用いてもよい。
【００６０】
（第２の実施形態）
本実施形態の端末装置も、図１に示した構成を有するが、配置物がスピーカに近づくにつれてスピーカの音量を大きくし、配置物がスピーカから遠ざかるにつれてスピーカの音量を小さくする点で、第１の実施形態のものと異なる。これ以外の動作は、第１の実施形態のものと同じである。
【００６１】
図４に、本実施形態の端末装置にて行われる音量調整処理の一手順を示す。ステップＳ２０〜Ｓ２７は、図３に示したステップＳ１０〜Ｓ１７と同じであるので、ここではその説明は省略する。
【００６２】
ステップＳ２７の判定結果が「Ｙｅｓ」である場合は、ＣＰＵ１０は、スピーカ１６に対して、測定値と閾値との差に応じた分だけ標準音量（デフォルト）より大きい音量を設定する（ステップＳ２８）。
【００６３】
ステップＳ２７の判定結果が「Ｎｏ」である場合は、ＣＰＵ１０は、スピーカ１６に対して、測定値と閾値との差に応じた分だけ標準音量（デフォルト）より低い音量を設定する（ステップＳ２９）。
【００６４】
なお、上記のステップＳ２８では、測定値と閾値との差と標準音量からの増大量との関係を示す情報（第３テーブル）や、測定値と閾値との差と標準音量からの減少量との関係を示す情報（第４テーブル）が使用される。これら、第３、第４テーブルも、ＲＯＭ１１に格納されている。
【００６５】
第３テーブルは、測定値が閾値と一致したときに標準音量となり、測定値が閾値より小さく、その差が大きくなるにつれて音量が大きくなるような特性を有する。第４テーブルは、測定値が閾値と一致したときに標準音量となり、測定値が閾値より大きく、その差が大きくなるにつれて音量が小さくなるような特性を有する。これら第３、第４テーブルは１つのテーブルで構成してもよい。
【００６６】
本実施形態の端末装置においても、第１の実施形態と同様、使用者が手で筺体１を保持した際に、指等がスピーカ１６ｂ、１６ｃの少なくとも１つを塞いだ場合は、ＣＰＵ１０は、指で塞いだスピーカの出力を停止する（音量を０にする。）。これにより、指で塞いだスピーカにおける不要な電流消費を抑制することができる。
【００６７】
また、配置物がスピーカ１６ａ〜１６ｃの少なくとも１つのスピーカに近接し、配置物がスピーカからの音を遮る場合に、ＣＰＵ１０は、スピーカの音量を大きくする。スピーカの音量を大きくすることで、配置物がスピーカからの音を遮る場合でも、使用者は、音声等を確実に聞き取ることができる。
【００６８】
上述した本実施形態の端末装置の構成および動作は一例であり、適宜に変更することができる。
【００６９】
例えば、図４に示した音量調整処理において、ステップＳ２３で、ＣＰＵ１０は、特定のスピーカ（すなわち、スピーカ１６ａ）の音量を所定の音量に設定するとともに、他のスピーカの出力を停止させてもよい。
【００７０】
また、ステップＳ２７で、ＣＰＵ１０は、今回の測定値と前回の測定値を比較し、スピーカに対して、配置物が近づいたか、または、遠のいたかを判定し、近づいた場合は、ステップＳ２８で、一定量だけ音量を増大し、遠のいた場合は、ステップＳ２９で、一定量だけ音量を減少してもよい。この場合、１回目の判定時は、前回の測定値としてデフォルト値（例えば、上述した標準音量）を用いてもよい。
【００７１】
（第３の実施形態）
本第３の実施形態の端末装置は、第１または第２の実施形態のものにおいて、配置物がスピーカに近接しているときに、使用者に配置物をスピーカから遠ざけることを促す所定のメッセージを表示するように構成したものである。所定のメッセージを表示する処理以外は、第１または第２の実施形態のものと同じである。
【００７２】
本実施形態の端末装置が第１の実施形態と同様の構成を有する場合、図３に示した音量調整処理において、ステップＳ１４で、ＣＰＵ１０は、スピーカ１６の音量を０にするとともに、所定のメッセージを表示部１５に表示させる。
【００７３】
また、ステップＳ１８で、ＣＰＵ１０は、スピーカ１６の音量として、測定値と閾値との差に応じた分だけ標準音量（デフォルト）より小さい音量を設定するとともに、所定のメッセージを表示部１５に表示させる。
【００７４】
本実施形態の端末装置が第２の実施形態と同様の構成を有する場合、図４に示した音量調整処理において、ステップＳ２４で、ＣＰＵ１０は、スピーカ１６の音量を０にするとともに、所定のメッセージを表示部１５に表示させる。
【００７５】
また、ステップＳ２８で、ＣＰＵ１０は、スピーカ１６の音量として、測定値と閾値との差に応じた分だけ標準音量（デフォルト）より大きい音量を設定するとともに、所定のメッセージを表示部１５に表示させる。
【００７６】
本実施形態の端末装置によれば、配置物がスピーカに近接している場合に、ＣＰＵ１０は、配置物をスピーカから遠ざけることを促す所定のメッセージを表示部１５に表示させる。使用者は、表示されたメッセージを確認することで、配置物がスピーカに近接していることを認識することができる。
【００７７】
例えば、使用者は、画面１５ａを見ている状態において、筐体１の裏面に設けられたスピーカ１６ｃが指等の配置物で塞がれているか否かを確認することは困難である。本実施形態では、指等の配置物がスピーカ１６ｃに近づくと、所定のメッセージが表示部１５の画面１５ａに表示されるので、使用者は、その表示されたメッセージを確認することで、配置物がスピーカ１６ｃに近接していることを認識することができる。
【００７８】
（第４の実施形態）
図５は、本発明の第４の実施形態である端末装置の構成を示すブロック図である。
【００７９】
本実施形態の端末装置は、図１に示した構成に加えて、別の距離測定部である近接センサ１９を有する。近接センサ１９以外の構成は、図１に示したものと同じである。
【００８０】
近接センサ１９は、使用者が手で筺体１を保持し、スピーカ１６ａを耳に当てた状態（受話姿勢）を検出するためのものであり、筺体１の特定部位に設けられている。ここで、特定部位は、手で筺体１を保持したときに、指との接触が生じ難い部分である。
【００８１】
具体的には、図６に示すように、近接センサ１９は、筐体１の画面１５ａが設けられた面上の、画面１５ａの下端の近傍に設けられている。通常、手で筺体１を保持する場合、指は筐体１の両端の中央付近に位置する。よって、図６に示したように近接センサ１９を配置することで、手で筺体１を保持した場合に、近接センサ１９への指の接触を抑制することができる。
【００８２】
スピーカ１６ａを耳に当てた場合には、丁度、頬が近接センサ１９に近接し、耳が近接センサ１９に近接する。この状態において、近接センサ１７ａ、１９の測定値は共に、配置物が密着または近接していることを示す値（閾値以下の値）になる。
【００８３】
一方、筐体１を手で保持しているが、耳には当てていない状態において、近接センサ１９の測定値は閾値より大きな値になるが、近接センサ１７ａの測定値は、指の位置に応じて、閾値以下の値または閾値より大きな値になる。
【００８４】
上記の近接センサ１７ａと近接センサ１９との測定値の関係に基づいて、ＣＰＵ１０は、スピーカ１６ａを耳に当てた状態（受話姿勢）を検出することができる。ここで、閾値の情報は、ＲＯＭ１１に格納されている。
【００８５】
図７に、本実施形態の端末装置の音量調整処理の一手順を示す。以下、図５〜図７を参照して音量調整処理を説明する。
【００８６】
ステップＳ３０、Ｓ３１、Ｓ３５〜Ｓ３９は、図３に示したステップＳ１０、Ｓ１１、Ｓ１５〜Ｓ１９と同じであるので、ここではその説明は省略する。
【００８７】
ステップＳ３１の判定結果が「Ｙｅｓ」である場合は、ＣＰＵ１０は、近接センサ１７ａと近接センサ１９との測定値の関係に基づいて、受話姿勢か否かを判定する（ステップＳ３２）。
【００８８】
ステップＳ３２の判定結果が「Ｙｅｓ」である場合は、ＣＰＵ１０は、スピーカ１６ａを所定の音量に設定し、他のスピーカ１６ｂ、１６ｃの音量を共に０に設定する（ステップＳ３３）。
【００８９】
ステップＳ３２の判定結果が「Ｎｏ」である場合は、ＣＰＵ１０は、スピーカ１６ａ〜１６ｃのうち、配置物と密着しているスピーカの音量を０に設定する（ステップＳ３４）。
【００９０】
本実施形態の端末装置によれば、第１の実施形態と同様の効果に加えて、以下のような作用効果を奏する。
【００９１】
ＣＰＵ１０が、指等の配置物がスピーカ１６ａを塞いだ第１の状態と、耳がスピーカ１６ａを塞いだ第２の状態とを区別し、第１の状態のときは、スピーカ１６ａを停止し、第２の状態のときは、スピーカ１６ａを所定の音量に設定し、他のスピーカ１６ｂ、１６ｃを停止する。第１の状態のときに、スピーカ１６ａを停止することで、不要な電流消費を抑制することができる。第２の状態のときに、他のスピーカ１６ｂ、１６ｃを停止することで不要な電流消費を抑制することができ、また、スピーカ１６ａを所定の音量に設定することで、音声等を適切な音量で使用者に提供することができる。
【００９２】
なお、本実施形態の構成は、第２の実施形態や第３の実施形態のものにも適用することができる。第２の実施形態に適用した場合は、ステップＳ３８、Ｓ３９の処理をそれぞれステップＳ２８、Ｓ２９に対応する処理に置き換える。第３の実施形態に適用した場合は、ステップＳ３４、Ｓ３８において、所定のメッセージを表示部１５に表示させる処理を加える。
【００９３】
以上説明した第１乃至第４の実施形態の端末装置は本発明の一例であり、その構成および動作は、当業者が理解し得る範囲において適宜に変更することができる。
【００９４】
例えば、第１乃至第４の実施形態において、ＣＰＵ１０は、近接センサ１７ａ〜１７ｃの測定値に基づいて、スピーカ１６ａ〜１６ｃの音量のバランスが所定の音量バランスになるように、スピーカ１６ａ〜１６ｃの音量を設定してもよい。この場合は、スピーカ１６ａ〜１６ｃそれぞれに対する配置物の距離を様々に変化させた複数の状態において、それぞれの状態における、予め決められた位置でのスピーカ１６ａ〜１６ｃの音量バランスが所定の音量バランスになるような、スピーカ１６ａ〜１６ｃそれぞれの音量レベルを示す音量バランス設定情報を、予め作成してＲＯＭ１１に格納しておく。ＣＰＵ１０は、ＲＯＭ１１に格納した音量バランス設定情報を参照してスピーカ１６ａ〜１６ｃの音量を決定する。
【００９５】
上記の構成によれば、例えば、配置物と密着したスピーカの出力を停止させて、不要な電流消費を抑制する場合に、使用者は、最適なバランスで音声等を聞き取ることができる。また、配置物が近接するスピーカの音量を増大させることで、配置物が音を遮るような状態でも、使用者が音声等を確実に聞き取れるようにする場合に、使用者は、最適なバランスで音声等を聞き取ることができる。
【００９６】
また、第１乃至第４の実施形態の端末装置はいずれも、コンピュータがプログラムに従って動作するコンピュータシステムを用いて構成されてもよい。プログラムは、少なくとも、前述したような音量調整処理や所定のメッセージの表示処理を、コンピュータに実行させることが可能なものである。プログラムは、コンピュータ読み出し可能な記録媒体、例えば、ＣＤ（Compact Disc）やＤＶＤ（Digital Video Disc）などの光ディスクや、ＵＳＢ（Universal Serial Bus）メモリやメモリカードなどを用いて提供されてもよく、また、通信網（例えばインターネット）を介して提供されてもよい。
【００９７】
（他の実施形態）
図８は、本発明の他の実施形態である端末装置の構成を示すブロック図である。
【００９８】
図８を参照すると、端末装置は、音を出力する複数のスピーカ１００1〜１００nと、スピーカ毎に設けられ、それぞれが該スピーカから該スピーカと対向するように配置された配置物までの距離を測定し、該測定値を出力する複数の距離測定部１０１1〜１０１nと、これら距離測定部１０１1〜１０１nのそれぞれから測定値を取得し、該取得した測定値に基づいてスピーカ１００1〜１００nの音量を調整する制御部１０２と、を有する。
【００９９】
距離測定部１０１1〜１０１nは、配置物までの距離を測定することができるのであれば、どのようなセンサで構成されてもよい。例えば、センサとして、反射型光電センサ、超音波センサ、静電容量センサなどを用いることができる。
【０１００】
距離測定部１０１1〜１０１nや制御部１０２は、第１乃至第４の実施形態のいずれかに記載の端末装置における近接センサ１７ａ〜１７ｃやＣＰＵ１０に対応する。
【０１０１】
本発明は、複数のスピーカを備えた端末装置、例えば、携帯電話機、ＰＨＳ（Personal Handyphone System）、ＰＤＡ（Personal Data Assistance，Personal Digital Assistants）、ゲーム機、デジタルオーディオビジュアル機などに適用することができる。
【０１０２】
また、本発明は、以下の付記１〜１２のような形態をとり得るが、これら形態に限定されない。
[付記１]
音を出力する複数のスピーカと、
スピーカ毎に設けられ、それぞれが該スピーカから該スピーカと対向するように配置された配置物までの距離を測定し、該測定値を出力する複数の距離測定部と、
前記複数の距離測定部のそれぞれから前記測定値を取得し、該取得した測定値に基づいて前記複数のスピーカの音量を調整する制御部と、を有する、端末装置。
[付記２]
前記制御部は、前記複数のスピーカのそれぞれについて、該スピーカと該スピーカと対向する前記配置物との間隔が小さくなるに従って音量を増大させる、付記１に記載の端末装置。
[付記３]
前記制御部は、前記複数のスピーカのそれぞれについて、該スピーカと該スピーカと対向する前記配置物との間隔が小さくなるに従って音量を減少させる、付記１に記載の端末装置。
[付記４]
前記制御部は、前記複数のスピーカのうちの特定のスピーカに対して設けられた距離測定部から前記測定値を取得し、該測定値に基づいて、前記特定のスピーカが前記配置物と密着しているか否かを判定し、密着している場合は、前記特定のスピーカを所定の音量に設定する、付記１から３のいずれか１つに記載の端末装置。
[付記５]
前記制御部は、前記特定のスピーカを所定の音量に設定した場合に、前記複数のスピーカのうちの前記特定のスピーカ以外のスピーカを停止させる、付記４に記載の端末装置。
[付記６]
前記制御部は、前記特定のスピーカ以外のスピーカに対して設けられた距離測定部から前記測定値を取得し、該測定値に基づいて、前記特定のスピーカ以外のスピーカが前記配置物と密着しているか否かを判定し、密着している場合は、前記特定のスピーカ以外のスピーカを停止させる、付記４または５に記載の端末装置。
[付記７]
情報を表示する表示部を、さらに有し、
前記制御部は、前記特定のスピーカ以外のスピーカが前記配置物と密着していると判定した場合に、所定のメッセージを前記表示部に表示させる、付記６に記載の端末装置。
[付記８]
前記制御部は、前記複数のスピーカのそれぞれについて、該スピーカに対して設けられた距離測定部から取得した測定値が閾値以下である場合に、前記所定のメッセージを前記表示部に表示させる、付記７に記載の端末装置。
[付記９]
前記複数のスピーカが設けられた筐体の特定の位置に設けられ、該位置から前記特定のスピーカと対向する前記配置物までの距離を測定し、該測定値を出力する別の距離測定部を、さらに有し、
前記制御部は、前記複数の距離測定部のうちの前記特定のスピーカに対して設けられた距離測定部から取得した測定値と前記別の距離測定部から取得した測定値とに基づいて、前記特定のスピーカが前記配置物と密着しているか否かを判定する、付記４から８のいずれか１つに記載の端末装置。
[付記１０]
前記制御部は、前記複数の距離測定部のそれぞれから取得した前記測定値に基づいて、前記複数のスピーカの音量レベルのバランスが予め定められたバランスになるように前記複数のスピーカの音量を調整する、付記１に記載の端末装置。
[付記１１]
音を出力する複数のスピーカのそれぞれについて、該スピーカから該スピーカと対向するように配置された配置物までの距離を測定し、
前記距離の測定値に基づいて、前記複数のスピーカの音量を調整する、音出力制御方法。
[付記１２]
音を出力する複数のスピーカのそれぞれに対応して設けられ、それぞれが、対応するスピーカから該スピーカと対向するように配置された配置物までの距離を測定する複数の距離測定部から、前記距離の測定値を取得する手順と、
前記複数の距離測定部のそれぞれから取得した前記測定値に基づいて、前記複数のスピーカの音量を調整する手順とを、コンピュータに実行させる、プログラム。
【符号の説明】
【０１０３】
１０  ＣＰＵ
１１  ＲＯＭ
１２  ワークメモリ
１３  通信部
１４  操作部
１５  表示部
１６ａ〜１６ｃ  スピーカ
１７ａ〜１７ｃ  近接センサ
【図１】
2013239965.tif 000003
【図２】
2013239965.tif 000004
【図３】
2013239965.tif 000005
【図４】
2013239965.tif 000006
【図５】
2013239965.tif 000007
【図６】
2013239965.tif 000008
【図７】
2013239965.tif 000009
【図８】
2013239965.tif 000010